(57)【要約】【課題】ＣＤＭＡ方式の基地局でレーク合成が行われる場合に使用される各ユーザ装置についてのパスタイミングの更新頻度の適正化を図ること。【解決手段】基地局で使用される受信装置は、選択されたユーザ装置についてパス検出を行うパス検出手段と、検出されたパスタイミングを用いて、前記選択されたユーザ装置からの上り信号を逆拡散し、１以上のマルチパス成分を導出する手段と、前記１以上のマルチパス成分をレーク合成し、復調用信号を用意する手段と、所定の１以上の判断基準に従って所定の周期で１以上のユーザ装置を選択し、前記パス検出手段に通知するスケジューリング手段とを有する。前記所定の１以上の判断基準は、復調用信号のフェージング周波数がより高いユーザ装置が選択されるという基準を含む。【選択図】図１
2008211465.tif 000002
【特許請求の範囲】
【請求項１】
符号分割多重接続(CDMA)方式の基地局で使用される受信装置であって、
選択されたユーザ装置についてパス検出を行うパス検出手段と、
検出されたパスタイミングを用いて、前記選択されたユーザ装置からの上り信号を逆拡散し、１以上のマルチパス成分を導出する手段と、
前記１以上のマルチパス成分をレーク合成し、復調用信号を用意する手段と、
所定の１以上の判断基準に従って所定の周期で１以上のユーザ装置を選択し、前記パス検出手段に通知するスケジューリング手段と、
を有し、前記所定の１以上の判断基準は、復調用信号のフェージング周波数がより高いユーザ装置が選択されるという基準を含む
ことを特徴とする受信装置。
【請求項２】
ユーザ装置毎に前回のパス検出からの経過時間が測定され、
前記所定の１以上の判断基準は、前記経過時間のより長いユーザ装置が選択されるという基準を含む
ことを特徴とする請求項１記載の受信装置。
【請求項３】
前記所定の１以上の判断基準は、ドップラ周波数偏移がより大きいユーザ装置が選択されるという基準を含む
ことを特徴とする請求項１記載の受信装置。
【請求項４】
前記所定の１以上の判断基準は、上り信号の受信品質のばらつきがより大きいユーザ装置が選択されるという基準を含む
ことを特徴とする請求項１記載の受信装置。
【請求項５】
前記所定の１以上の判断基準は、上り信号の受信品質が目標値からより大きくずれているユーザ装置が選択されるという基準を含む
ことを特徴とする請求項１記載の受信装置。
【請求項６】
符号分割多重接続(CDMA)方式の基地局で使用されるパス検出装置であって、前記基地局は、選択されたユーザ装置用のパスタイミングを用いて、該ユーザ装置からの上り信号を逆拡散し、１以上のマルチパス成分をレーク合成することで復調用信号を用意し、当該パス検出装置は、
選択されたユーザ装置についてパス検出を行うパス検出手段と、
所定の１以上の判断基準に従って所定の周期で１以上のユーザ装置を選択し、前記パス検出手段に通知するスケジューリング手段と、
を有し、前記所定の１以上の判断基準は、復調用信号のフェージング周波数がより高いユーザ装置が選択されるという基準を含む
ことを特徴とするパス検出装置。
【請求項７】
符号分割多重接続(CDMA)方式の基地局で使用される方法であって、
選択されたユーザ装置についてパス検出手段によりパス検出を行うステップと、
検出されたパスタイミングを用いて、前記選択されたユーザ装置からの上り信号を逆拡散し、１以上のマルチパス成分を導出するステップと、
前記１以上のマルチパス成分をレーク合成し、復調用信号を用意するステップと、
所定の１以上の判断基準に従って所定の周期で１以上のユーザ装置を選択し、前記パス検出手段に通知するスケジューリングステップと、
を有し、前記所定の１以上の判断基準は、復調用信号のフェージング周波数がより高いユーザ装置が選択されるという基準を含む
ことを特徴とする方法。
【請求項８】
符号分割多重接続(CDMA)方式の基地局で使用されるコンピュータプログラムであって、
選択されたユーザ装置についてパス検出手段によりパス検出を行うステップと、
検出されたパスタイミングを用いて、前記選択されたユーザ装置からの上り信号を逆拡散し、１以上のマルチパス成分を導出するステップと、
前記１以上のマルチパス成分をレーク合成し、復調用信号を用意するステップと、
所定の１以上の判断基準に従って所定の周期で１以上のユーザ装置を選択し、前記パス検出手段に通知するスケジューリングステップと、
を前記基地局に実行させ、前記所定の１以上の判断基準は、復調用信号のフェージング周波数がより高いユーザ装置が選択されるという基準を含む
ことを特徴とするコンピュータプログラム。
【発明の詳細な説明】
【技術分野】
【０００１】
本発明は一般に移動通信の技術分野に関し、特に符号分割多元接続(CDMA:  Code  Division  Multiple  Access)方式の基地局で使用される受信装置、パス検出装置、方法及びコンピュータプログラムに関する。
【背景技術】
【０００２】
CDMA方式の移動通信システムでは、送信信号は誤り訂正符号化及びデータ変調後に所定の拡散符号系列で拡散された後に無線送信される。送信信号は地物や建物の影響を受けながら広い帯域を通じて伝搬し、通信相手により受信される。受信信号は逆拡散され、１以上のマルチパス成分に分離され、それらはレーク(Rake)合成される。レーク合成後の信号はデータ復調及び誤り訂正復号され、送信信号が復元される。１以上のマルチパス成分の各々が受信機に届く時刻（パスタイミング）は無線リンクの状況によって異なる。従って受信機は、パス検出を行うことで、送信機からの信号のパスタイミングを最新の値に維持する必要がある。特に、多数のユーザ装置と通信する基地局は、ユーザ装置毎にそのようなパス検出を行う必要がある。パス検出の演算負担は大きいので、受信部の中でパス検出回路は比較的多くの部分を占める。新たに通信チャネルを確立しようとしているユーザ装置の更新頻度（優先度）が高くなるようにパス検出を行うことについては特許文献１に記載されている。
【特許文献１】特開２０００−１５１５５８号公報
【発明の開示】
【発明が解決しようとする課題】
【０００３】
ところで、セルに在圏するユーザ装置の通信状況は様々であるので、所要品質を確保するのに要するパスタイミングの更新頻度もユーザ装置毎に異なる。移動端末及び固定端末を含むユーザ装置の高性能化、サービスの多様化等に応じて高低様々な速度で移動するユーザが増えてきている。高速で移動しているユーザのチャネル状態は刻々と変動するので、所要品質を確保する観点からはパスタイミングの更新頻度も高い方が好ましい。全てのユーザ装置について一律に高い頻度でパス検出を行うことにすると、パス検出回路の演算負担及び回路規模が大きくなってしまう問題が懸念される。一方、高速には移動していないユーザのチャネル状態はさほど変化しないので、パスタイミングの更新頻度も少なくてよい。一律に高い頻度でパス検出が行われると、低速移動の又は静止しているユーザにとっては過剰なパス検出になり、無駄な演算が行われてしまう問題も懸念される。このような問題に対しては上記の特許文献１に記載の手法でも対処できない。
【０００４】
本発明の課題は、ＣＤＭＡ方式の基地局でレーク合成が行われる場合に使用される各ユーザ装置についてのパスタイミングの更新頻度の適正化を図ることである。
【課題を解決するための手段】
【０００５】
本発明ではCDMA方式の基地局で使用される受信装置が使用される。受信装置は、選択されたユーザ装置についてパス検出を行うパス検出手段と、検出されたパスタイミングを用いて、前記選択されたユーザ装置からの上り信号を逆拡散し、１以上のマルチパス成分を導出する手段と、前記１以上のマルチパス成分をレーク合成し、復調用信号を用意する手段と、所定の１以上の判断基準に従って所定の周期で１以上のユーザ装置を選択し、前記パス検出手段に通知するスケジューリング手段とを有する。前記所定の１以上の判断基準は、復調用信号のフェージング周波数がより高いユーザ装置が選択されるという基準を含む。
【発明の効果】
【０００６】
本発明によれば、ＣＤＭＡ方式の基地局でレーク合成が行われる場合に使用される各ユーザ装置についてのパスタイミングの更新頻度の適正化を図ることができる。
【発明を実施するための最良の形態】
【０００７】
本発明の一形態では、基地局のパス検出回路が時分割方式で複数のユーザにより利用される。基地局は、最後にパス検出を行った時刻をユーザ毎に記憶し、その時刻からの経過時間を算出する手段と、各ユーザのフェージング周波数を測定する手段を有する。フェージング周波数の高いユーザは高速に移動しているものと考えられる。基地局は所定の１以上の判断基準に従って次回のパス検出で対象となる１以上のユーザを選択するスケジューリング手段を有し、スケジューリング手段は、経過時間のより長いユーザを及びフェージング周波数のより高いユーザを選択する。
【０００８】
所定の１以上の判断基準は、ドップラ周波数偏移がより大きいユーザ装置が選択されるという基準を含んでもよい。キャリア周波数偏移が或る程度以上大きかった場合には、その周波数偏移は、ユーザの高速移動によるドップラ周波数偏移に起因するように考えられてよいからである。見通しのよい環境で通信が行われている場合は、マルチパスフェージングの影響は小さくなり、フェージング周波数の高低だけではユーザの移動度を適切に把握できなくなるかもしれない。そのような場合でもドップラ周波数偏移を考慮することで、ユーザの移動度を適切に把握することができるようになる。
【０００９】
所定の１以上の判断基準は、上り信号の受信品質のばらつきがより大きいユーザ装置が選択されるという基準を含んでもよい。高速移動ユーザからの信号については、受信品質が様々にばらつく傾向があるからである。
【００１０】
所定の１以上の判断基準は、上り信号の受信品質が目標値からより大きくずれているユーザ装置が選択されるという基準を含んでもよい。高速移動ユーザからの信号の受信品質は劣化しやすいからである。
【００１１】
受信品質はブロックエラーレートで表現されてもよいし、希望信号電力と非希望信号電力との比率で表現されてもよい。
【００１２】
所定の１以上の判断基準は、同期の外れたユーザ装置が優先的に選択されるという基準を含んでもよい。
【００１３】
所定の１以上の判断基準は、システムで予め定められた者と通信を行うユーザ装置が優先的に選択されるという基準を含んでもよい。
【００１４】
所定の１以上の判断基準は、音声パケットで通信を行うユーザ装置が優先的に選択されるという基準を含んでもよい。
【００１５】
所定の１以上の判断基準は、ラウンドトリップ時間(RTT)の測定対象のユーザ装置が優先的に選択されるという基準を含んでもよい。
【００１６】
説明の便宜上、本発明が幾つかの実施例に分けて説明されるが、各実施例の区分けは本発明に本質的ではなく、２以上の実施例が必要に応じて使用されてよい。
【実施例１】
【００１７】
図１は本発明の一実施例による基地局装置で使用される受信部を示す。図１にはアンテナ１１、フロントエンド部１２、パス検出回路１３、逆拡散部１４及びレーク合成部１５が描かれている。レーク合成部１５の中には参照情報導出部１６も描かれている。パス検出回路１３の中にはスケジューリング部１７及び信号処理部１８も描かれている。
【００１８】
フロントエンド部１２は、アンテナ１１を介して受信した無線受信信号に対して、電力増幅、周波数変換、帯域制限、ディジタルアナログ変換等の処理を行い、ベースバンド信号を出力する。
【００１９】
パス検出回路１３は、各ユーザ装置に対するパス位置(パスタイミング)を検出する。
【００２０】
逆拡散部１４は、パス検出回路１３で検出されたパスタイミングを利用して及び各ユーザ装置の拡散符号系列を利用して受信信号を逆拡散する。逆拡散後の信号は、異なる時間に到着した複数のマルチパス成分を含む。
【００２１】
レーク合成部１５は、複数のマルチパス成分をレーク(Rake)合成し、以後の復調及び復号の対象となる信号（復調用信号）を用意する。
【００２２】
参照情報導出部１６は、レーク合成後の信号から参照情報を導出する。参照情報は、以下に説明されるような様々な内容を表現してよい。第１実施例では参照情報は、復調用信号のフェージング周波数を表す。このフェージング周波数は、復調用信号の変動する時間周期を測定することで導出されてよい。概して高速に移動するユーザほどフェージング周波数は高い。なお、参照情報導出部１６はレーク合成部１５の一部分であるように描かれているが、レーク合成部１５とは別に用意されてもよい。
【００２３】
スケジューリング部１７は、参照情報に基づいてスケジューリング情報を出力する。スケジューリング情報は、次回のパス検出でどのユーザ装置のパスが検出されるべきかを指定する。
【００２４】
図２はスケジューリング部１７の詳細を示す。図２にはメモリ２１、スケジューリング評価値算出部２２及びユーザ選択部２３が描かれている。
【００２５】
メモリ２１は、ユーザ装置毎に最終選択時刻を記憶する。最終選択時刻は前回パス検出の対象として選択された時点に相当する。現在時刻から最終選択時刻を減算することで算出される経過時間は、パスタイミングの更新がされないままである期間を表す。
【００２６】
スケジューリング評価値算出部２２は、その経過時間と参照情報とに基づいてスケジューリング評価値を算出する。以下に説明されるように、スケジューリング評価値は様々な手法で算出されてよいが、概して参照情報から導出された量と、経過時間から導出された量との和で表現されてよい。スケジューリング評価値はユーザ装置毎に算出される。
【００２７】
ユーザ選択部２３は、ユーザ装置毎に用意されたスケジューリング評価値に基づいて、例えばスケジューリング評価値の小さい順にＭ(≧１)個のユーザ装置を選択する。選択されたユーザ装置がどれであるかはスケジューリング情報により示される。また、選択されたユーザ装置については、メモリ２１に記憶される最終選択時刻が現在時刻に再設定され、経過時間は０にリセットされる。スケジューリング情報は一定の周期で又は頻度で用意されてよい。
【００２８】
信号処理部１８は、スケジューリング情報で指定されているユーザ装置からの上り信号について、パス位置を検出する。
【００２９】
図３は信号処理部１８の詳細を示す。図３には、マッチトフィルタ(MF)３１、電力加算部３２及びピーク検出部３３が描かれている。
【００３０】
マッチトフィルタ(MF)３１は、指定されたユーザ装置用の拡散符号系列とベースバンド信号との相関値を演算する。
【００３１】
電力加算部３２は相関値を同相加算し、電力プロファイルを導出する。
【００３２】
ピーク検出部３３は電力プロファイルの中で閾値を超えるピーク位置を検出し、パス位置又はパスタイミングとしてそれを特定する情報を出力する。
【００３３】
図４はスケジューリング評価値算出部２２で行われる動作例のフローチャートを示す。このフローチャートは、Nmax個のユーザ装置各々についてスケジューリング評価値Ckを用意するためのものである。動作説明で使用される記号は、次のように定義されているものとする。
【００３４】
k:ユーザ番号
Nmax:最大ユーザ数
fdk:ユーザkのフェージング周波数
tcur:現在時刻
tk:ユーザkの前回パス更新時刻
Tk:ユーザkの前回パス更新からの経過時間
T(fd):フェージング周波数fdに対する所要パス更新周期
α:フェージング周波数に対する評価重み
β:前回パス更新からの経過時間に対する評価重み
Ck:ユーザkのスケジューリング評価値
ステップS1では或るユーザが先頭ユーザとして選択される。どのユーザが先頭であるかは重要でない。
【００３５】
ステップS2では全てのユーザについてスケジューリング評価値が算出されたか否かが確認される。全て完了していた場合にはフローは終了し、スケジューリング評価値の算出されていないユーザが存在していた場合にはフローはステップS3に進む。
【００３６】
ステップS3ではユーザkのフェージング周波数fdkが用意される。上述したようにフェージング周波数は参照情報として図１の参照情報導出部１６から得られる。
【００３７】
ステップS4ではフェージング周波数fdkが或る評価値T(fdk)に変換される。
【００３８】
図５はフェージング周波数fdkを評価値T(fdk)に変換するめの対応関係の一例を示す。時間領域でのフェージング周波数が高い場合、そのユーザは高速で移動している可能性が高い。従ってこの場合、パスタイミングは頻繁に更新されるべきである。逆に、時間領域でのフェージング周波数が低い場合、そのユーザは高速では移動していないことが予想される。従ってこの場合、パスタイミングは頻繁には更新されなくてよい。図示の例では、参照情報導出部１６で推定された時間領域のフェージング周波数の高低に応じて、評価値が一覧テーブルTの形式で用意されている。フェージング周波数を区分けする数値範囲（及び対応する評価値）は用途に応じて更に多く用意されてもよいし、より少なく用意されてもよい。フェージング周波数fdk及び評価値T(fdk)の対応関係はテーブル形式で用意されてもよいし、テーブルでなくその都度何らかの関数に従って算出されてもよい。
【００３９】
ステップS5ではユーザkについて前回のパスタイミング更新時点tkから現時点τcorに至るまでの経過時間τkが次式のようにして算出される。
【００４０】
τk＝τcor−tk
ステップS6ではステップS4及びステップS5で算出された評価値を組み合わせることで、ユーザkに対するスケジューリング評価値Ckが次式に従って算出される。
【００４１】
Ck＝αT(fdk)−βτk
ここで、α及びβは適切な結合係数又は重み係数であり、一例として正の数に設定される（α>０，β>０）。従ってスケジューリング評価値はフェージング周波数が高いほど及び経過時間τkが長いほど小さな値をとるように用意される。後述されるように、スケジューリング評価値の小さな上位Mユーザがユーザ選択部２３で選択され、パスタイミングが更新されることになる。ユーザの移動速度が速いほどフェージング周波数は高くなるし、経過時間が長いほどパスタイミングは変わっている可能性が高いからである。結合係数α，βの具体的な数値はシミュレーションにより或いは経験的に適切に決定されてよい。
【００４２】
ステップS7ではユーザを指定するパラメータｋがインクリメントされ、フローはステップS2に戻り、全ユーザについてスケジューリング評価値が用意されるまで、説明済みの手順が反復される。
【００４３】
図６はユーザ選択部２３で行われる動作例のフローチャートを示す。図１の信号処理部１８は或る一定の周期で最大M個のユーザ装置についてパス検出を行う。M個のユーザ装置がどれであるかはスケジューリング情報で指定される。図６のフローチャートは、Nmax個のスケジューリング評価値Ckの内で小さい順にM個を選択するためのものである。動作説明で使用される記号は、次のように定義されているものとする。
【００４４】
k:ユーザ番号
Nmax:最大ユーザ数
M:1周期あたり選択可能最大ユーザ数
Ck:ユーザkのスケジューリング評価値
Un:選択順位n番目のユーザ番号
Dn:選択順位n番目のユーザUnのスケジューリング評価値
ステップSAでは或るユーザが先頭ユーザとして選択される。この場合も、どのユーザが先頭であるかは重要でない。
【００４５】
ステップSBでは全てのスケジューリング評価値Ckについて大小比較がなされたか否かが確認される。全て完了していた場合にはフローは終了し、未完了であった場合にはフローはステップSMに進む。
【００４６】
ステップSMでは、ユーザkのスケジューリング評価値Ckと、選択順位がM番目のユーザのスケジューリング評価値DMとの大小関係が判定される。このDMは前回のループで選択された（又は初期に仮に選択された）M個のスケジューリング評価値の内でM番目に小さいスケジューリング評価値である。CkがDM以上大きかったならば（Ck≧DM）、そのスケジューリング評価値のユーザは選択されるはずがない。従ってその場合フローはステップSCに進み、ユーザを指定するパラメータkの値がインクリメントされ、フローはステップSBに戻る。
【００４７】
CkがDMより小さかったならば（Ck<DM）、そのスケジューリング評価値Ckのユーザは選択される可能性がある一方、スケジューリング評価値DMのユーザについては落選が確定する。そこで、選択順位がM番目のユーザのスケジューリング評価値がCkに更新され、選択順位M番目のユーザ番号がkに更新される。
【００４８】
ステップSM-1では、ユーザkのスケジューリング評価値Ckと、選択順位がM-1番目のユーザのスケジューリング評価値DM-1との大小関係が判定される。CkがDM-1以上大きかったならば（Ck≧DM-1）、現時点でCkの順位は真にM番目であることが判明する。従ってこの場合フローはステップSCに進み、ステップSBに戻る。CkがDM-1より小さかったならば（Ck<DM-1）、そのスケジューリング評価値Ckの選択順位はM-1以下（Mより上位）である一方、スケジューリング評価値DM-1の選択順位は現時点でM番目に降下したことが判明する。そこで、選択順位M番目とM-1番目の内容が入れ替えられる。具体的には、選択順位M番目のユーザのスケジューリング評価値がDM-1に更新され、選択順位M番目のユーザ番号がM-1に更新される。また、選択順位M-1番目のユーザのスケジューリング評価値がCkに更新され、選択順位M-1番目のユーザ番号がkに更新される。
【００４９】
以後同様な処理が反復される。スケジューリング評価値Ckが一番小さかった場合には、フローはステップS1に到達し、選択順位が２番目のユーザのスケジューリング評価値がD1に更新され、選択順位２番目のユーザ番号が１に更新される。また、選択順位１番目のユーザのスケジューリング評価値がCkに更新され、選択順位１番目のユーザ番号がkに更新される。
【００５０】
ステップSCでは上述したようにユーザを指定するパラメータkの値がインクリメントされ、フローはステップSBに戻る。かくて全てのスケジューリング評価値Ck(k=1,...,Nmax)について大小関係が判定され、値の小さい上位M個が確定し、それらに相当するユーザがスケジューリング部１７から信号処理部１８に通知される。そして、このM個の値に対応するユーザの最終選択時刻はその通知の時点に更新され、メモリ２１で記憶される最終選択時刻が再設定される。これにより選択されたMユーザについての経過時間が０にリセットされる。
【００５１】
説明の便宜上、スケジューリング評価値Ckは、頻繁にパス検出を要するものほど小さな値をとるように決定され、より小さな上位Mユーザが選択された。しかしながら数値の大小関係は逆に設定されてもよい。スケジューリング評価値Ckは、頻繁にパス検出を要するものほど大きな値をとるように決定され、大きな上位Mユーザが選択されてもよい。図６の動作フローは一例に過ぎず、より小さな値の上位Mユーザを選択する他の動作フローが使用されてもよい。
【実施例２】
【００５２】
第１実施例では前回パス検出処理からの経過時間とフェージング周波数とを考慮しながらスケジューリング評価値を算出することでＭユーザが選択されたが、追加的に他の参照情報が加味されてもよい。即ち、スケジューリング評価値Ckが
Ck＝αT(fdk)−βτk＋γ
のようにして導出され、γの部分が以下に説明されるようにして加味されてよい。
【００５３】
Ａ．ドップラ周波数偏移
ユーザ装置からの上り信号は、本来の周波数からずれていることがある。このようなキャリア周波数偏移が生じる原因は、端末に搭載されている発振器の発振周波数のズレによるものと、高速移動端末からの直接波受信によるドップラーシフトの影響によるものとが考えられる。前者についてはシステムの規格に従ってある程度予測可能である。このような影響を上回るキャリア周波数偏差が発生している場合には、後者のドップラ周波数偏移が影響していると考えてもよい。即ちそのユーザは高速に移動しており、パス検出が頻繁に行われるべきである。
【００５４】
ドップラ周波数偏移は、受信信号サンプルの位相変化に現れる。従って基地局でのチャネル推定結果を利用することでドップラ周波数偏移が推定されてもよい。
【００５５】
図７はキャリア周波数偏差（Hz）の推定値をスケジューリング評価値に変換するテーブルの一例を示す。この値を追加的な参照情報γとして加味することで、一定以上のキャリア周波数偏差が生じているユーザについて、パス検出の優先度を高くすべきことをスケジューリング評価値に反映できる。
【００５６】
Ｂ．ばらつき
高速に移動しているユーザからの受信信号品質（例えば、受信ＳＩＲ）はフェージングに起因して大きくばらつく傾向がある。各ユーザ毎に受信ＳＩＲのばらつきを測定し、ばらつきの大きいユーザについてパス検出の頻度を高くすることで、パス検出頻度の適正化を図ることができる。ばらつきは例えば分散(variance)、標準偏差(standard  deviation)、偏差等で表現されてもよい。
【００５７】
図８は受信SIRの分散をスケジューリング評価値に変換するテーブルの一例を示す。この値を追加的な参照情報γとして加味することで、高速移動に起因して受信ＳＩＲの変動が大きくなっているユーザについて、パス検出の優先度を高くすべきことをスケジューリング評価値に反映してもよい。
【００５８】
Ｃ．目標値
高速移動等に起因してパスタイミングが変化したユーザからの信号については、所要信号品質の目標値（ターゲット品質）から逸脱する傾向が大きくなる。各ユーザ毎に受信信号品質を測定し、目標値からの逸脱が大きいユーザについてパス検出の頻度を高くすべきことをスケジューリング評価値に反映してもよい。受信信号品質は希望信号電力対非希望信号電力比(SIR、SINR、CNR等)、ブロックエラーレート(BLER)等で表現されてもよい。更に、同期が外れてしまったユーザからの信号は著しく品質が劣化し、速やかに同期を捕捉し直す必要がある。従って同期外れのユーザについてもパス検出の優先度を高くすることが好ましい。
【００５９】
図９は図１と同様に基地局の受信部を示す。図１で説明済みの要素に加えて、復号器９１も加わっている。復号器９１はレーク合成後の復調用信号を復号（デコード）し、ブロック誤り率を算出し、受信BLERをスケジューリング部１７に報告する。スケジューリング部１７は報告された受信BLERと目標BLERとを比較し、目標値からの逸脱度を判定し、判定結果をスケジューリング評価値に反映する。受信SIRが利用される場合も同様に、スケジューリング部１７は報告された受信SIRと目標SIRとを比較し、目標値からの逸脱度を判定し、判定結果をスケジューリング評価値に反映する。
【００６０】
Ｄ．特定の通信相手
上記各種の例では通信状況に応じてユーザのパス検出頻度が相対的に調整されていたが、警察、消防、病院等のような特定の通信相手との通信に対する優先度が絶対的に高く設定されていてもよい。この種の重要な通信を行うユーザについてパス検出の優先順位を高くすることで、パスタイミングの変化に起因する通信切断を防ぐことが好ましい。
【００６１】
Ｅ．特定の通信種別
ユーザが行う通信には音声通信やデータ通信等様々なものが存在する。中でも音声パケットやリアルタイムデータについては高品質で伝送されることが望まれる。従ってこの種のリアルタイム性の要請の強い通信を行うユーザについてパス検出の優先順位を高くすることが好ましい。
【００６２】
Ｆ．ＲＴＴ
基地局は定期的に又は必要に応じてユーザ毎にラウンドトリップ時間（ＲＴＴ：Ｒｏｕｎｄ Ｔｒｉｐ Ｔｉｍｅ）を測定し、ユーザまでの距離を把握している。このような測定はサービス提供に重要な基礎的なデータになるので、速やかに正確に行われることが望ましい。従ってこのような測定対象のユーザについてパス検出の優先順位を高くすることが好ましい。
【００６３】
説明の便宜上、本発明が幾つかの実施例に分けて説明されてきたが、各実施例の区分けは本発明に本質的ではなく、１以上の実施例が必要に応じて使用されてよい。ドップラ周波数、キャリア周波数偏移、受信SIRの分散等を区分けする数値範囲（及び対応する評価値）は更に多く用意されてもよい。
【００６４】
以下、本発明により教示される手段を例示的に列挙する。
（付記１）
符号分割多重接続(CDMA)方式の基地局で使用される受信装置であって、
選択されたユーザ装置についてパス検出を行うパス検出手段と、
検出されたパスタイミングを用いて、前記選択されたユーザ装置からの上り信号を逆拡散し、１以上のマルチパス成分を導出する手段と、
前記１以上のマルチパス成分をレーク合成し、復調用信号を用意する手段と、
所定の１以上の判断基準に従って所定の周期で１以上のユーザ装置を選択し、前記パス検出手段に通知するスケジューリング手段と、
を有し、前記所定の１以上の判断基準は、復調用信号のフェージング周波数がより高いユーザ装置が選択されるという基準を含む
ことを特徴とする受信装置。
（付記２）
ユーザ装置毎に前回のパス検出からの経過時間が測定され、
前記所定の１以上の判断基準は、前記経過時間のより長いユーザ装置が選択されるという基準を含む
ことを特徴とする付記１記載の受信装置。
（付記３）
前記所定の１以上の判断基準は、ドップラ周波数偏移がより大きいユーザ装置が選択されるという基準を含む
ことを特徴とする付記１記載の受信装置。
（付記４）
前記所定の１以上の判断基準は、上り信号の受信品質のばらつきがより大きいユーザ装置が選択されるという基準を含む
ことを特徴とする付記１記載の受信装置。
（付記５）
前記所定の１以上の判断基準は、上り信号の受信品質が目標値からより大きくずれているユーザ装置が選択されるという基準を含む
ことを特徴とする付記１記載の受信装置。
（付記６）
前記受信品質が、ブロックエラーレートで表現される
ことを特徴とする付記５記載の受信装置。
（付記７）
前記受信品質が、受信信号中の希望信号電力と非希望信号電力との比率で表現される
ことを特徴とする付記５記載の受信装置。
（付記８）
前記所定の１以上の判断基準は、同期の外れたユーザ装置が優先的に選択されるという基準を含む
ことを特徴とする付記１記載の受信装置。
（付記９）
前記所定の１以上の判断基準は、システムで予め定められた者と通信を行うユーザ装置が優先的に選択されるという基準を含む
ことを特徴とする付記１記載の受信装置。
（付記１０）
前記所定の１以上の判断基準は、音声パケットで通信を行うユーザ装置が優先的に選択されるという基準を含む
ことを特徴とする付記１記載の受信装置。
（付記１１）
前記所定の１以上の判断基準は、ラウンドトリップ時間(RTT)の測定対象のユーザ装置が優先的に選択されるという基準を含む
ことを特徴とする付記１記載の受信装置。
（付記１２）
符号分割多重接続(CDMA)方式の基地局で使用されるパス検出装置であって、前記基地局は、選択されたユーザ装置用のパスタイミングを用いて、該ユーザ装置からの上り信号を逆拡散し、１以上のマルチパス成分をレーク合成することで復調用信号を用意し、当該パス検出装置は、
選択されたユーザ装置についてパス検出を行うパス検出手段と、
所定の１以上の判断基準に従って所定の周期で１以上のユーザ装置を選択し、前記パス検出手段に通知するスケジューリング手段と、
を有し、前記所定の１以上の判断基準は、復調用信号のフェージング周波数がより高いユーザ装置が選択されるという基準を含む
ことを特徴とするパス検出装置。
（付記１３）
符号分割多重接続(CDMA)方式の基地局で使用される方法であって、
選択されたユーザ装置についてパス検出手段によりパス検出を行うステップと、
検出されたパスタイミングを用いて、前記選択されたユーザ装置からの上り信号を逆拡散し、１以上のマルチパス成分を導出するステップと、
前記１以上のマルチパス成分をレーク合成し、復調用信号を用意するステップと、
所定の１以上の判断基準に従って所定の周期で１以上のユーザ装置を選択し、前記パス検出手段に通知するスケジューリングステップと、
を有し、前記所定の１以上の判断基準は、復調用信号のフェージング周波数がより高いユーザ装置が選択されるという基準を含む
ことを特徴とする方法。
（付記１４）
符号分割多重接続(CDMA)方式の基地局で使用されるコンピュータプログラムであって、
選択されたユーザ装置についてパス検出手段によりパス検出を行うステップと、
検出されたパスタイミングを用いて、前記選択されたユーザ装置からの上り信号を逆拡散し、１以上のマルチパス成分を導出するステップと、
前記１以上のマルチパス成分をレーク合成し、復調用信号を用意するステップと、
所定の１以上の判断基準に従って所定の周期で１以上のユーザ装置を選択し、前記パス検出手段に通知するスケジューリングステップと、
を前記基地局に実行させ、前記所定の１以上の判断基準は、復調用信号のフェージング周波数がより高いユーザ装置が選択されるという基準を含む
ことを特徴とするコンピュータプログラム。
【図面の簡単な説明】
【００６５】
【図１】本発明の一実施例による基地局の受信部を示す図である。
【図２】図１のスケジューリング部の詳細を示す図である。
【図３】図１の信号処理部の詳細を示す図である。
【図４】スケジューリング評価値を算出するためのフローチャートを示す。
【図５】フェージング周波数と評価値との対応関係の一例を示す図表である。
【図６】スケジューリング評価値の小さい上位Ｍユーザを選択するためのフローチャートを示す。
【図７】キャリア周波数偏差とスケジューリング評価値との対応関係の一例を示す図表である。
【図８】受信SIRの分散とスケジューリング評価値との対応関係の一例を示す図表である。
【図９】基地局の受信部を示す図である。
【符号の説明】
【００６６】
１１  アンテナ
１２  フロントエンド部
１３  パス検出回路
１４  逆拡散部
１５  レーク合成部
１７  スケジューリング部
１６  参照情報導出部
１８  信号処理部
２１  メモリ
２２  スケジューリング評価値算出部
２３  ユーザ選択部
３１  マッチトフィルタ(MF)
３２  電力加算部
３３  ピーク検出部
【図１】
2008211465.tif 000003
【図２】
2008211465.tif 000004
【図３】
2008211465.tif 000005
【図４】
2008211465.tif 000006
【図５】
2008211465.tif 000007
【図６】
2008211465.tif 000008
【図７】
2008211465.tif 000009
【図８】
2008211465.tif 000010
【図９】
2008211465.tif 000011